(57)【要約】【課題】基地局の装置構成の設定変更時でも基準信号を劣化なく受信し、ＴＤＤの無線受信特性を正確に測定できること。【解決手段】ＴＤＤ方式で通信を行う基地局１００は、信号生成機１３０が出力する基準信号ＳＲに含まれる所定期間の同期パターンの受信タイミングを検出して基準信号のフレーム基準に対する遅延量を求め、信号生成機１３０へ受信タイミングを補正する補正情報を出力する受信処理部１０２を有する。信号生成機１３０は、受信タイミングを補正する補正情報に基づき基準信号ＳＲの出力タイミングを補正して出力する。【選択図】図１
2018129772.tif 000002
【特許請求の範囲】
【請求項１】
ＴＤＤ（Ｔｉｍｅ  Ｄｉｖｉｓｉｏｎ  Ｄｕｐｌｅｘ）方式で通信を行う基地局において、
基準信号に含まれる所定期間の同期パターンの受信タイミングを検出して前記基準信号のフレーム基準に対する遅延量を求め、前記遅延量に基づき、前記基準信号の送信元へ前記受信タイミングを補正する補正情報を出力する受信処理部を備えたことを特徴とする基地局。
【請求項２】
前記同期パターンは、前記ＴＤＤの受信区間で任意の値をとる複数のサンプルデータからなり、
前記受信処理部は、前記受信区間から外れた前記サンプルデータの個数に基づき、前記遅延量を求めることを特徴とする請求項１に記載の基地局。
【請求項３】
前記基準信号を受信する送受信部に、前記基準信号を生成する信号生成機が直接接続され、
前記受信処理部は、
通信インタフェースを介して、前記補正情報と、前記フレーム基準のトリガを前記信号生成機に出力することを特徴とする請求項１または２に記載の基地局。
【請求項４】
前記受信処理部は、
前記送受信部の出力、または前記送受信部の出力をＣＰＲＩ（Ｃｏｍｍｏｎ  Ｐｕｂｌｉｃ  Ｒａｄｉｏ  Ｉｎｔｅｒｆａｃｅ）形式に変換後の前記基準信号を選択し、前記同期パターンを検出することを特徴とする請求項３に記載の基地局。
【請求項５】
前記受信処理部は、
前記補正情報として前記遅延量を出力することを特徴とする請求項１〜４のいずれか一つに記載の基地局。
【請求項６】
前記受信処理部は、
前記基準信号に含まれる前記同期パターンとして、予め設定された前記サンプルデータ単位の所定の値のＩＱデータに基づき、前記基準信号の受信タイミングを検出することを特徴とする請求項１〜５のいずれか一つに記載の基地局。
【請求項７】
前記受信処理部は、
前記ＩＱデータの値を前記サンプルデータ単位で変化させた複数の前記同期パターンのうちいずれかを用いて前記基準信号の受信タイミングを検出することを特徴とする請求項６に記載の基地局。
【請求項８】
前記受信処理部は、
前記受信区間内で複数の前記同期パターンを受信し、前記基準信号の受信タイミングを検出することを特徴とする請求項６または７に記載の基地局。
【請求項９】
前記受信処理部は、
前記受信区間を含むより長い期間の前記同期パターンを受信し、前記基準信号の受信タイミングを検出することを特徴とする請求項６〜８のいずれか一つに記載の基地局。
【請求項１０】
ＴＤＤ（Ｔｉｍｅ  Ｄｉｖｉｓｉｏｎ  Ｄｕｐｌｅｘ）方式で通信を行う基地局と、前記基地局の特性測定用の基準信号を送信する信号生成機と、を含む信号同期システムにおいて、
前記信号生成機は、
前記所定期間の同期パターンを含む前記基準信号を前記基地局の送受信部に直接接続により出力し、
前記基地局は、
前記同期パターンの受信タイミングを検出して前記基準信号のフレーム基準に対する遅延量を求め、前記遅延量に基づき、前記信号生成機へ前記基準信号の受信タイミングを補正する補正情報を出力する受信処理部を備えたことを特徴とする信号同期システム。
【請求項１１】
前記基地局の前記受信処理部は、
通信インタフェースを介して、前記補正情報と、前記フレーム基準のトリガを前記信号生成機に出力し、
前記信号生成機は、前記補正情報と、前記フレーム基準のトリガに基づき、前記基準信号の出力タイミングを補正して出力することを特徴とする請求項１０に記載の信号同期システム。
【請求項１２】
ＴＤＤ（Ｔｉｍｅ  Ｄｉｖｉｓｉｏｎ  Ｄｕｐｌｅｘ）方式で通信を行う基地局における基準信号の信号同期方法であって、
前記基準信号に含まれる所定期間の同期パターンの受信タイミングを検出し、
前記基準信号のフレーム基準に対する遅延量を求め、
前記遅延量に基づき、前記基準信号の送信元へ前記受信タイミングを補正する補正情報を出力する、
ことを特徴とする信号同期方法。
【発明の詳細な説明】
【技術分野】
【０００１】
本発明は、信号を同期制御する基地局、信号同期システムおよび信号同期方法に関する。
【背景技術】
【０００２】
移動局と無線通信する基地局は、フィールドでの無線受信特性を測定する際に測定環境、例えば、アンテナから入る外部要因により無線受信特性への影響が生じる。従来、無線受信特性の測定としては、例えば、基地局等の受信装置内部における信号のバラツキを補正するため、送信側でキャリブレーション信号を生成し、アンテナ周辺回路で折り返し測定する技術がある（例えば、下記特許文献１参照。）。
【先行技術文献】
【特許文献】
【０００３】
【特許文献１】特開２０１０−２５８５０３号公報
【発明の概要】
【発明が解決しようとする課題】
【０００４】
しかしながら、基地局の無線部（ＲＲＨ：Ｒｅｍｏｔｅ  Ｒａｄｉｏ  Ｈｅａｄ）の無線受信特性を正確に測定することができなかった。従来構成では、基地局内部での測定であるため、実際に無線電波を送受信部が受信した状態での無線受信特性を測定できない。
【０００５】
このほか、信号生成機（ＳＧ：Ｓｉｇｎａｌ  Ｇｅｎｅｒａｔｏｒ）で生成した無線電波（データ）を基地局で受信することが考えられる。しかし、基地局は、初期化や無線帯域変更のために装置構成を設定変更する場合がある。この際、信号サンプリングレートの変更または、ＳＧの出力遅延が変動することにより、ＴＤＤの信号基点となるタイミングにずれが生じる場合がある。このため、測定のたびに手動でＳＧを操作調整する必要が生じ、効率的に測定できない。ＳＧは、無線帯域別の送信のフィルタ特性（例えば、ハイカットフィルタ）を有し、遅延量がフィルタ特性によって影響を受ける。
【０００６】
特に、ＴＤＤ（Ｔｉｍｅ  Ｄｉｖｉｓｉｏｎ  Ｄｕｐｌｅｘ）の無線方式においては、送信と受信の区間が時分割に配置されており、受信区間のデータと送信区間のデータを厳密に分離した上での無線受信特性を取得する必要がある。ＳＧの送信データに遅延があると、送信区間で受信データを受信することとなり、受信データが欠損して無線受信特性を正確に測定できない。
【０００７】
一つの側面では、本発明は、基地局の装置構成の設定変更時でも基準信号を欠損なく受信し、ＴＤＤの無線受信特性を正確に測定できることを目的とする。
【課題を解決するための手段】
【０００８】
一つの案では、基地局は、ＴＤＤ（Ｔｉｍｅ  Ｄｉｖｉｓｉｏｎ  Ｄｕｐｌｅｘ）方式で通信を行う基地局において、基準信号に含まれる所定期間の同期パターンの受信タイミングを検出して前記基準信号のフレーム基準に対する遅延量を求め、前記遅延量に基づき、前記基準信号の送信元へ前記受信タイミングを補正する補正情報を出力する受信処理部を備えたことを要件とする。
【発明の効果】
【０００９】
一つの実施形態によれば、基地局の装置構成の設定変更時でも基準信号を劣化なく受信し、ＴＤＤの無線受信特性を正確に測定できる。
【図面の簡単な説明】
【００１０】
【図１】図１は、実施の形態にかかる基地局の内部構成例を示すブロック図である。
【図２】図２は、実施の形態の基地局のハードウェア構成例を示す図である。
【図３】図３は、基準信号のタイミング遅延状態を示すタイミングチャートである。
【図４】図４は、実施の形態の基地局の無線受信特性の測定に用いるＳＧのデータ例を示す説明図である。（その１）
【図５】図５は、実施の形態の基地局の無線受信特性の測定に用いるＳＧのデータ例を示す説明図である。（その２）
【図６】図６は、実施の形態にかかる基準信号の同期パターンを説明するタイミングチャートである。
【図７】図７は、実施の形態にかかる基準信号の遅延状態を説明するタイミングチャートである。
【図８】図８は、実施の形態にかかる同期パターンの設定例１を示すタイミングチャートである。
【図９】図９は、実施の形態にかかる同期パターンの設定例２を示すタイミングチャートである。
【図１０】図１０は、実施の形態にかかる同期パターンの設定例３を示すタイミングチャートである。
【図１１】図１１は、実施の形態にかかる同期パターンの設定例４を示すタイミングチャートである。
【図１２】図１２は、実施の形態にかかる基準信号の遅延量の測定を説明するタイミングチャートである。（その１）
【図１３】図１３は、実施の形態にかかる基準信号の遅延量の測定を説明するタイミングチャートである。（その２）
【図１４】図１４は、実施の形態の基地局が行う無線受信特性の測定処理の手順を示すフローチャートである。
【発明を実施するための形態】
【００１１】
（実施の形態）
図１は、実施の形態にかかる基地局の内部構成例を示すブロック図である。基地局のうち、実施の形態の無線部（ＲＲＨ）の機能について示してある。基地局１００は、送受信部１０１と、受信処理部１０２と、通信インタフェース１０３と、を含む。
【００１２】
実施の形態では、送受信部１０１に直接、信号生成機（ＳＧ：Ｓｉｇｎａｌ  Ｇｅｎｅｒａｔｏｒ）１３０を接続し、信号生成機１３０から基地局（ＲＲＨ）１００の無線受信特性を測定するための測定信号（基準信号ＳＲ）を出力する。アッテネータ１３１は、基準信号ＳＲの出力レベルを調整する。
【００１３】
送受信部１０１は、アンテナ１１１と、デュプレクサ（ＤＵＰ：ＤＵＰｌｅｘｅｒ）１１２およびサーキュレータ１１３、無線受信機１１４、無線送信機１１５と、を含む。
【００１４】
アンテナ１１１を介して、例えば移動局（端末）が送信する無線電波は、アンテナ１１１で受信され、ＤＵＰ１１２およびサーキュレータ１１３を介して無線受信機１１４が受信し、ＩＱデータとして受信処理部１０２に出力する。送信信号は、無線送信機１１５により送信信号としてサーキュレータ１１３およびＤＵＰ１１２を介してアンテナ１１１から外部（移動局）に向けて送信される。
【００１５】
実施の形態では、受信処理部１０２は、ＳＧ１３０から出力される基準信号ＳＲに基づく基地局（ＲＲＨ）１００の無線受信特性の測定にかかる処理を行う。ＣＰＲＩ送信部（ＣＰＲＩ−ＴＸ）１２１は、Ｒｘｉｎに入力される受信信号（ＩＱデータ）をＣＰＲＩ形式に変換し、物理層（ＰＨＹ）インタフェース１０３ａを介して無線制御部（ＲＥＣ）等に受信信号を出力する。なお、ＣＰＲＩ送信部１２１は、端末から受信した受信信号（ＳＧ１３０の基準信号を含む）をＣＰＲＩ変換する際に所定の変換遅延量（遅延時間）が生じる。ＣＰＲＩはＣｏｍｍｏｎ  Ｐｕｂｌｉｃ  Ｒａｄｉｏ  Ｉｎｔｅｒｆａｃｅの略であり、ＲＥＣはＲａｄｉｏ  Ｅｑｕｉｐｍｅｎｔ  Ｃｏｎｔｒｏｌの略である。
【００１６】
セレクタ（ＳＥＬ）１２２は、同期パターン（ｓｙｎｃ  ｐａｔｔｅｒｎ）検出に用いるデータを選択する。このセレクタ１２２は、受信処理部１０２のＲｘｉｎに入力される受信信号（ＩＱデータ）、またはＣＰＲＩ送信部１２１が出力するＣＰＲＩインタフェースに変換された遅延時間を含んだＩＱデータ、のいずれかの入力を選択する。選択の設定は、無線受信特性の測定条件等に合わせて任意に選択できる。ＣＰＲＩ送信部１２１の選択時には、ＣＰＲＩレイヤ上でＩＱデータを同期信号検出した入力が選択される。
【００１７】
同期パターン（ｓｙｎｃ  ｐａｔｔｅｒｎ）設定部１２３は、所定の同期パターンを設定する。同期パターンは、ＳＧ１３０が出力する基準信号ＳＲの同期パターンと同じパターンである。
【００１８】
同期パターン（ｓｙｎｃ  ｐａｔｔｅｒｎ）検出部１２４は、同期パターン設定部１２３に設定された同期パターンと、ＳＥＬ１２２が出力する受信信号（ＩＱデータ）の相関処理を行い、検出できた数を出力する。
【００１９】
送信サンプル数設定部１２５は、ＳＧ１３０が送信する基準信号ＳＲに含まれる同期パターンのサンプル数（個数）を設定する。ＳＧ１３０が送信する基準信号ＳＲに含まれるサンプル数、および送信サンプル数設定部１２５に設定するサンプル数については後述するが、任意の個数を設定できる。
【００２０】
遅延時間計算部１２６は、同期パターン検出部１２４から出力される検出数と、予め設定したサンプル数とに基づき、基準信号ＳＲの遅延時間（遅延時間＝サンプル数−検出数）を算出処理する。この例では、ＴＤＤのフレーム基準に対する基準信号ＳＲの遅延量をサンプル数として得る。
【００２１】
変調遅延設定部１２７は、遅延時間計算部１２６が出力する遅延時間の値を遅延量として外部のＳＧ１３０へ出力する。通信インタフェース１０３ｂは、例えば、シリアル、同軸ケーブル（ＢＮＣコネクタ等）、ＧＰＩＢ（Ｇｅｎｅｒａｌ  Ｐｕｒｐｏｓｅ  Ｉｎｔｅｒｆａｃｅ  Ｂｕｓ）、ＬＡＮ（Ｌｏｃａｌ  Ａｒｅａ  Ｎｅｔｗｏｒｋ）などの各種の汎用インタフェースを用いることができる。ＳＧ１３０側にも通信インタフェース１０３ｂに対向する通信インタフェース１３２を有する。
【００２２】
カウンタ部１２８は、ＣＰＲＩインタフェースのクロックに同期して計数を行うカウンタである。トリガ出力部（ＴＲＩＧ  ｏｕｔ）１２９は、カウンタ部１２８の出力により、フレーム先頭（受信するフレーム基準）に同期したトリガ（ＴＲＩＧ  ｏｕｔ）のパルスを生成し、通信インタフェース１０３ｂを介してＳＧ１３０に出力する。
【００２３】
図１に記載の受信処理部１０２のうち、既存の構成は、ＣＰＲＩ送信部（ＣＰＲＩ−ＴＸ）１２１である。
【００２４】
図２は、実施の形態の基地局のハードウェア構成例を示す図である。図１に示した受信処理部１０２の各機能は、図２に示したＣＰＵ（Ｃｅｎｔｒａｌ  Ｐｒｏｃｅｓｓｉｎｇ  Ｕｎｉｔ）２０１がメモリ２０２に格納されたプログラムを読み出し実行し、その際、メモリ２０２を作業領域に使用することで実現可能である。メモリは、ＲＯＭ，ＲＡＭ，フラッシュＲＯＭ等を用いることができる。また、ＨＤＤ等の拡張メモリ２０３をデータ格納領域等に用いることもできる。２０４は、バスである。無線通信部２０５は、図１の送受信部１０１の機能を実現する。通信インタフェース（ＩＦ）部２０６は、図１の通信インタフェース１０３（１０３ａ，１０３ｂ）の機能を実現する。
【００２５】
次に、無線受信特性の測定処理の概要を以下に示す。
１．基地局１００の受信処理部１０２が信号生成機（ＳＧ）１３０にトリガ（ＴＲＩＧ  ｏｕｔ）を送信。
２．ＳＧ１３０で変調開始。
３．受信処理部１０２が基準信号ＳＲを受信し、ＩＱ（複素データ）に変換後、同期パターンを検出してＳＧ１３０で生じた変調遅延（遅延時間）を求め、遅延量をＳＧ１３０に出力。
４．受信処理部１０２がＣＰＲＩフレームにより、受信信号をＲＥＣに送信出力。
【００２６】
（ＳＧが出力する測定信号遅延状態）
図３は、基準信号のタイミング遅延状態を示すタイミングチャートである。図中横軸は時間である。ＳＧ１３０がトリガ出力に基づき出力する基準信号ＳＲ（変調波信号）のタイミング遅延時の課題について説明する。
【００２７】
図３記載の例において、ＣＰＲＩタイミングは、ＨＦＮ＃００〜＃１４９で例えば１０ｍｓｅｃである。また、ＴＤＤのＬＴＥにおいて、ＵＬ（ＵｐＬｉｎｋ）／ＤＬ（ＤｏｗｎＬｉｎｋ）の切り替えポイントの設定（ｃｏｎｆｉｇ．０）は、５ＭＨｚ，７．６８Ｍｓｐｓ，ＵｐＰＴＳ（１）を含む。フレーム構造は、ＤＬ，ＤＰＴＳ，ＧＰ，ＵｐＰＴＳ，ＵＬ，…ＵＬ，ＤＬ，ＤＰＴＳ，ＧＰ，ＵｐＰＴＳ，ＵＬ，…ＵＬの順である。ＤＬとＤＰＴＳが送信区間、ＵｐＰＴＳとＵＬが受信区間である。送信区間と受信区間との間には無送信区間（ＧＰ：Ｇｕａｒｄ  Ｐｅｒｉｏｄ）が設けられているが、受信区間と送信区間との間には仕様上、ＧＰは設けられていない。
【００２８】
図３（ａ）に示すトリガＡ出力（ＴＲＩＧ  ｏｕｔ（Ａ））の送受信タイミングが理想であり、図３（ｂ）のように、トリガＢ出力（ＴＲＩＧ  ｏｕｔ（Ｂ））からのＳＧ１３０出力（ＳＧ変調波生成）のタイミングが遅延した場合を示す。この場合、受信区間ＵＬ→送信区間ＤＬの遅延分（Ｎ  ｓａｍｐｌｅ、遅延時間ｔ）が定常的に遅延する。
【００２９】
このＮ  ｓａｍｐｌｅ分の遅延は、受信区間から送信区間に切り替えるポイントＰでの遅延のため、送信信号、受信信号を物理的に同一信号線上に配置する様なアンテナ構成において受信側に対して送信波影響が生じる。例えば、図３（ｃ）に示す無線受信特性を測定する際の特性評価対象データにおいて、ポイントＰ部分の受信データは送信データによって劣化し、具体的には、受信データが欠損し、正確な特性評価が行えなくなる。
【００３０】
実施の形態では、受信信号の送信区間と受信区間とを正確なタイミングで分離して、受信区間でのみ有効データを取得できるよう、ＳＧ１３０に対し基準信号ＳＲの送信タイミングを調整する。また、トリガ出力のタイミングに対するＳＧ１３０での遅延を固定の同期パターンによる相関処理を行うことで、簡単に同期検出し、理想の同期状態にする。
【００３１】
（ＳＧ出力内容）
図４、図５は、実施の形態の基地局の無線受信特性の測定に用いるＳＧのデータ例を示す説明図である。図４には、ＳＧ１０３が出力する基準信号ＳＲの変調データファイル内容を示す。実施の形態では、ＳＧ１３０は、既存の変調データ４００の先頭に、同期パターン（ｓｙｎｃ  ｐａｔｔｅｒｎ）４０１を挿入する。同期パターン４０１のデータ長は固定（例えば１０ｍｓｅｃ）もしくは変更可能とする。既存の変調データ４００は、ｚｅｒｏ  ｄａｔａ，ＵＬ（ＵｐＰＴＳ），ＵＬ，ｚｅｒｏ  ｄａｔａ，ＵＬ（ＵｐＰＴＳ），ＵＬを含む希望波として出力され、１０ｍｓ，１００ｍｓ等である。
【００３２】
ＳＧ１３０は変調スケジュールにより、ファイルタグ１（同期パターン４０１）→トリガ検出→ファイルタグ２（希望波、既存の変調データ４００）の送信を繰り返す。
【００３３】
図５には、基準信号の補正のタイミングチャートを示す。図５（ｂ）に示すように、基地局１００の受信処理部１０２は、トリガＢ（ＴＲＩＧ  ｏｕｔ（Ｂ））について、算出した送信サンプル数−検出サンプル数＝遅延時間を求め、遅延時間ｔを補正サンプルＮとしてＳＧ１３０に出力する。
【００３４】
ＳＧ１３０では、遅延設定として、現在のＳＧ遅延設定−補正サンプルＮの設定変更を行う。これにより、図５（ｂ）に示すように、受信区間から送信区間に切り替えるポイントＰでの遅延を解消でき、図５(ｃ)に示すこのポイントＰ部分での受信データの欠損を防ぐことができる。
【００３５】
（遅延量測定）
次に、ＳＧ１３０から出力する基準信号ＳＲの遅延量測定について説明する。図６は、実施の形態にかかる基準信号の同期パターンを説明するタイミングチャートである。図６（ａ）には、汎用のフレームフォーマットを示す。例えば、１０ｍｓｅｃの１フレームのうち前半の４ｍｓｅｃが送信区間（ＤＬ）、ＧＰが１ｍｓｅｃ、後半の５ｍｓｅｃが受信区間（ＵＬ）であるとする。
【００３６】
図６（ｂ）には、基準信号ＳＲに用いる同期パターンを示す。図６（ａ）に示したフレームフォーマットを前提として、ＳＧ１３０が出力する基準信号ＳＲの同期パターン（ｓｙｎｃ  ｐａｔｔｅｒｎ）４０１を図６（ｂ）に示す。図６（ｂ）に示すように、ＳＧ１３０は、１０ｍｓｅｃのうち後半５ｍｓｅｃ（受信区間）のＩＱデータを同一値とした同期パターン４０１を生成し、例えばサンプル数を５００とする。なお、実際には送信帯域と送信区間とによって同期パターン４０１の送信サンプル数は決まるが上記例では簡単化のため５００とした。基地局１００の受信処理部１０２の同期パターン設定部１２３には、ＳＧ１３０が送信するサンプル数の同期パターンを予め設定しておく。
【００３７】
図７は、実施の形態にかかる基準信号の遅延状態を説明するタイミングチャートである。図７（ａ）は、理想的な状態、すなわち基準信号ＳＲに遅延がない場合を示す。ＳＧ１３０が出力する基準信号ＳＲに遅延が発生しない場合、基地局１００（受信処理部１０２）では、ＳＧ１３０が送信した全ての同期パターン４０１のサンプル（５００）を同期パターン検出部１２４で検出できる。
【００３８】
受信処理部１０２の遅延時間計算部１２６では、ＳＧから送信される同期パターンのサンプル数（５００）を事前に設定しておく。そして、遅延時間計算部１２６では、同期パターン検出部１２４で検出したサンプル数と、事前に送信サンプル数設定部１２５に設定されているサンプル数（５００）との差分から遅延時間を求める。ここでは検出サンプル数と事前に設定されたサンプル数が同じなので遅延時間はゼロとなる。
【００３９】
図７（ｂ）は、ＳＧ１３０が出力する基準信号ＳＲに遅延が発生した例として１０サンプル遅延したとする。遅延によって受信区間から１０サンプル分はみ出た部分４０１ｘが同期パターン検出部１２４で検出できなくなる。同期パターン検出部１２４が検出したサンプル数は４９０となる。
【００４０】
そして、受信処理部１０２の遅延時間計算部１２６は、同期パターン検出部１２４で検出したサンプル数と、事前に設定されている送信サンプル数設定部１２５の送信サンプル数との差分から遅延時間ｔを求める。
遅延時間ｔ＝送信サンプル数−検出サンプル数＝５００−４９０＝１０［サンプル］
図７（ｂ）の例の場合、基準信号ＳＲは、１０サンプル遅延していることが求められる。
【００４１】
以上、遅延量の測定の基本的な考え方について説明した。しかし、上記説明の簡単な方法では送受信フィルタの影響により正確に遅延量を測定できない可能性がある。そこで、起こりうる問題と問題を解決するための同期パターンについて次に、同期パターンの設定例で説明する。各同期パターンは、基地局１００の受信処理部１０２からＳＧ１３０に対し、通信インタフェース１０３ｂを介して設定変更することができる。
【００４２】
（同期パターンの各種設定例）
・設定例１（全区間同一値）
図８は、実施の形態にかかる同期パターンの設定例１を示すタイミングチャートである。図８（ａ）の設定例１の同期パターン１（ｓｙｎｃ  ｐａｔｔｅｒｎ１）では、ＳＧ１３０は、全区間においてＩＱともに同一の値（例えば１）として送信する。受信処理部１０２の同期パターン検出部１２４は、受信データ（基準信号ＳＲ）のＩＱ振幅値が一定以上（ゼロデータでない）、且つＩＱの符号が一定期間変化しないときに同期パターン４０１と認識する。
【００４３】
そして、遅延時間計算部１２６は、同期パターン４０１と認識したサンプル数をカウントし、設定されたサンプル数との差分を遅延量とする（図７参照）。この設定例１では、受信区間と同区間（同じ長さ）に同期パターン４０１を送信することで遅延量が測定できる。
【００４４】
上記図８（ａ）に示した設定例１では、ＳＧ１３０の送信フィルタの影響がなければ正確に遅延量を測定することができるが、実際には図８（ｂ）に示すように、ＳＧ１３０の送信フィルタの影響により同期パターン４０１の立上り４０１ｕ、立下り４０１ｄが鈍る。信号が鈍ったこれら立上り４０１ｕ、立下り４０１ｄの部分は、同期パターン４０１と認識されず正確に遅延量を測定できなくなることがある。
【００４５】
・設定例２（１サンプルごとに変化するＩＱ値）
図９は、実施の形態にかかる同期パターンの設定例２を示すタイミングチャートである。図９の設定例２の同期パターン２（ｓｙｎｃ  ｐａｔｔｅｒｎ２）では、ＳＧ１３０は、受信区間と同区間で同期パターン４０１を１サンプルごとにＩＱの符号を変化させて出力する。例えば、ＩＱデータを「０，０」、「１，１」、「０，０」…、と変化させる。同期パターン検出部１２４は、受信データ（基準信号ＳＲ）のＩＱの符号が１サンプルごとに変化したときに同期パターン４０１と認識する。
【００４６】
そして、遅延時間計算部１２６は、ＩＱそれぞれで符号が変化した回数をカウントし、平均をとり、設定したサンプル数との差分を遅延量とする。この例では、１サンプルごとにゼロ点を通る（毎サンプルπ変化する）ので基地局１００の送受信部１０１（無線受信機１１４、無線送信機１１５）の特性によっては正確に同期パターン４０１を認識できない場合がある。また、ＳＧ１３０は、受信区間と同区間に同期パターン４０１を出力することで受信処理部１０２で遅延量が測定できるが、上記設定例１同様にＳＧ１３０の送信フィルタの影響により正確に遅延量を測定できない場合がある。
【００４７】
・設定例３（回転するＱＰＳＫ値）
図１０は、実施の形態にかかる同期パターンの設定例３を示すタイミングチャートである。図１０の設定例３の同期パターン３（ｓｙｎｃ  ｐａｔｔｅｒｎ３）では、ＳＧ１３０は、同期パターン４０１として、ＩＱの変化点を１サンプルずつずらしたＱＰＳＫの変調方式で出力し、複数のサンプルの結果として信号を回転させる。例えば、ＩＱデータを「１，１」、「０，１」、「０，０」、［１，０］、［１，１］…、と変化させる。同期パターン検出部１２４は、受信データ（基準信号ＳＲ）のＩＱの符号がそれぞれで２サンプルごとに変化するときに同期パターン４０１と認識する。ＱＰＳＫはＱｕａｄｒａｔｕｒｅ  Ｐｈａｓｅ  Ｓｈｉｆｔ  Ｋｅｙｉｎｇの略である。
【００４８】
そして、遅延時間計算部１２６は、ＩＱそれぞれで符号が変化した回数をカウントし合算した値と、設定したサンプル数との差分を遅延量とする。なお、ＩＱそれぞれで符号が変化した回数をカウントし合算した値と、設定したサンプル数との差分を遅延量としてもよい。この例では、ＳＧ１３０が受信区間と同区間に同期パターン４０１を出力することにより、受信処理部１０２で遅延量が測定できるが、上記設定例１と同様にＳＧ１３０の送信フィルタの影響があると正確に遅延量を測定できない場合がある。
【００４９】
・設定例４（設定例１〜３のパターンの組み合わせ）
図１１は、実施の形態にかかる同期パターンの設定例４を示すタイミングチャートである。図１１の設定例４の同期パターン（ｓｙｎｃ  ｐａｔｔｅｒｎ４）では、ＳＧ１３０は、同期パターン４０１として、上記の設定例１の同期パターン１と、設定例３の同期パターン３あるいは設定例２の同期パターン２とを組み合わせる。例えば、同期パターン４０１の前半を設定例３の同期パターン３（図１１の例）、あるいは設定例２の同期パターン２とし、後半を設定例１の同期パターン１とする。これにより、同期パターン４０１の立下り部分がＳＧ１３０の送信フィルタによってなまった場合でも、受信処理部１０２（同期パターン検出部１２４）で正確に同期パターン４０１を認識できるようになる。
【００５０】
また、図１１に示すように、受信区間よりも十分に長い区間で同期パターン４０１を送信することで、同期パターン４０１の立上り部分が受信区間に入り込まないようにできる。
【００５１】
そして、同期パターン検出部１２４は、受信データ（ＳＧ１３０が出力する基準信号ＳＲ）のＩＱの符号がそれぞれで２サンプルごとに変化するときに同期パターン４０１と認識し、ＩＱ符号変化の回数をカウントする。同期パターン４０１の検出後、ＩＱ振幅値が一定以上（ゼロデータでない）で且つＩＱの符号が一定期間変化しなくなったら（設定例１の同期パターンになれば）、同期パターン４０１のサンプル数のカウントを停止する。
【００５２】
そして、遅延時間計算部１２６は、ＩＱの符号変化回数を加算し、ＳＧ１３０が出力した基準信号ＳＲに含まれる同期パターン４０１の設定例３のパターンのうち、受信区間にあたる部分のサンプル数との差分を遅延量とする。ここで、設定例１のパターンの長さは最終部分がフィルタでなまる量よりも多く、且つ、遅延量よりも多くなるように設定する。また、設定例３のパターンの長さは、どのような遅延量が生じた場合でもＩＱそれぞれの符号変化が１回以上測定できるよう設定しておく等、できるだけ多くのＩＱ符号変化を測定できるようにするのが望ましい。
【００５３】
図１２、図１３は、実施の形態にかかる基準信号の遅延量の測定を説明するタイミングチャートである。上述した設定例４の同期パターン（ｓｙｎｃ  ｐａｔｔｅｒｎ４）を用いた遅延量の測定例について説明する。基準信号のフレームフォーマット例は、上述同様に１０ｍｓのうち前半４ｍｓを送信区間、ＧＰ期間が１ｍｓ、後半５ｍｓを受信区間とする（図６参照）。
【００５４】
図１２（ａ）は、ＳＧ１３０が出力する設定例４の同期パターンである。設定例４では、前半の８ｍｓｅｃが設定例３のパターン（ｓｙｎｃ  ｐａｔｔｅｒｎ３）であり、送信サンプル数は８００、そのうち受信区間に入るのは３００サンプルである。後半の２ｍｓｅｃは、設定例１のパターン（ｓｙｎｃ  ｐａｔｔｅｒｎ１）であり、送信サンプル数は２００とする。実際には送信帯域と送信区間によって送信サンプル数は決まるが、ここでは説明を簡単にするため上記の値とする。
【００５５】
図１２（ｂ）は、基準信号ＳＲに遅延なしの場合を示す。ＳＧ１３０の送信フィルタの影響により、基準信号ＳＲの同期パターン４０１の立上り４０１ｕと、立下り４０１ｄそれぞれにおいて前後１０サンプル（計２０サンプル）の信号が劣化している状態を示す。同期パターン検出部１２４は、１００サンプル間ＩＱ振幅値が一定以上（ゼロデータでない）で且つＩＱの符号が変化しなくなったら（ｓｙｎｃ  ｐａｔｔｅｒｎ１になれば）、同期パターン４０１のサンプル数のカウントを停止する。
【００５６】
基準信号ＳＲに遅延が発生しない場合は、同期パターン検出部１２４は、ＩＱそれぞれ１５０回の符号変化を検出する。その後、符号変化のない区間が１００サンプル続いた時点で符号変化のカウントは停止する。同期パターン４０１の立下り４０１ｄ部分ではフィルタによる信号劣化でＩＱ符号変化（意図していない変化）が検出される場合もあり得るが、この時点でＩＱ符号変化のカウントは停止しているため、誤カウントを回避できる。
【００５７】
遅延時間計算部１２６では、同期パターン検出部１２４で検出したＩＱ符号変化の合計（３００）と、事前に設定されているサンプル数（３００）との差分から遅延時間を求める。ここでは遅延時間はゼロとなる。
【００５８】
図１２（ｂ）において、同期パターン４０１のうち、送信区間およびＧＰにかかる区間においても、ＳＧ１３０は基準信号ＳＲを出力しているが、基地局１００（ＲＲＨ）では受信されない（非受信）。そして、受信開始より十分先に同期パターン４０１の信号を立上げ（４０１ｕ）ることで、ＳＧ１３０の送信フィルタの影響を回避できる。また、ＳＧ１３０が送信する基準信号ＳＲ（同期パターン４０１）の劣化によって、立下り４０１ｄ部分のＩＱの符号が変化することがある。しかし、同期パターン１（ｓｙｎｃ  ｐａｔｔｅｒｎ１）を検出した後は、同期パターン検出部１２４はＩＱ符号変化をカウントしないことで信号劣化による誤カウントを回避できる。
【００５９】
図１３は、基準信号ＳＲに遅延が発生した場合を示す。例えば、３０サンプル遅延した場合を例に説明する。ＳＧ１３０が出力する基準信号ＳＲの遅延によって同期パターン１（ｓｙｎｃ  ｐａｔｔｅｒｎ１）が３０サンプル分（ＩＱ１５回ずつ）、受信区間から外に位置して、同期パターン３（ｓｙｎｃ  ｐａｔｔｅｒｎ３）部分が３０サンプル分受信区間に入り込んでくる。このサンプル数の増加分が遅延量となる。
【００６０】
この際、同期パターン検出部１２４ではＩＱそれぞれ１６５回の符号変化を検出する（遅延３０サンプル分増加）。その後、符号変化のない区間が１００サンプル続いた時点で符号変化のカウントは停止する。遅延時間計算部１２６では、同期パターン検出部１２４で検出したＩＱ符号変化の合計（３３０）と、事前に設定されているサンプル数（３００）との差分から遅延時間ｔを求める。
遅延時間ｔ＝送信サンプル数−検出サンプル数＝３００−３３０＝−３０［サンプル］
【００６１】
この例では、計算結果がマイナスになっている。同期パターン４（ｓｙｎｃ  ｐａｔｔｅｒｎ４）では信号が遅延すると検出される符号変化（受信区間にずれ込む同期パターン３部分）が多くなるためである。
【００６２】
ここで、設定例４の同期パターン４（ｓｙｎｃ  ｐａｔｔｅｒｎ４）を用いることで、ＳＧ１３０の送信フィルタの影響を受けずに正確に遅延量を測定することができる。図１３では基準信号ＳＲが遅延した場合の説明をしているが、同期パターン４を用いれば、基準信号ＳＲが早まった場合にも対応可能である。基準信号ＳＲの受信（入力）が早まった場合は、受信区間の同期パターン３部分が減少するので、遅延量の計算結果がプラス（遅延の場合はマイナス）になる。そのプラス分だけ信号の出力を遅らせればよい。
【００６３】
図１４は、実施の形態の基地局が行う無線受信特性の測定処理の手順を示すフローチャートである。上述した受信処理部１０２が行う処理例を示す。
【００６４】
受信処理部１０２は、はじめに、ＴＤＤフレーム同期設定およびＣＰＲＩフレーム同期設定を行う（ステップＳ１４０１）。ＴＤＤフレームの設定が必要な場合、ＴＤＤフレームの設定初期化のためＴＤＤコンフィグレーションを設定する。また、ＴＤＤフレーム設定が必要ない場合は、ＣＰＲＩフレーム同期設定より開始する。ＣＰＲＩフレーム同期設定ではＣＰＲＩリンクに必要な初期設定を行う。
【００６５】
次に、受信処理部１０２は、モード選択を行う（ステップＳ１４０２）。このモード選択では、ＣＰＲＩ側信号経路（ＣＰＲＩ−ＴＸ）１２１、またはＲｘｉｎ側の経路をセレクタ１２２で選択する。選択は用途に合わせて設定し、ＣＰＲＩ遅延を含む測定時はＣＰＲＩ側信号経路を選択する。
【００６６】
次に、受信処理部１０２は、ＴＤＤフレーム／ＣＰＲＩフレームの同期確立を判断する（ステップＳ１４０３）。ＴＤＤフレーム同期が必要な場合は、ＴＤＤフレーム同期確立まで待ち、ＴＤＤフレーム同期が必要ない場合はＣＰＲＩフレーム同期まで待つ（ステップＳ１４０３：Ｎｏのループ）。そして、ＣＰＲＩフレーム同期確立により（ステップＳ１４０３：Ｙｅｓ）、カウンタ部１２８は、トリガ出力元のカウンタを計数開始する（ステップＳ１４０４）。トリガ出力部１２９は、任意のＣＰＲＩフレーム先頭、ＴＤＤフレームの場合はＴＤＤフレーム先頭に合わせてトリガ出力パルスを生成し、トリガ（ＴＲＩＧ  ｏｕｔ）をＳＧ１３０へ出力し（ステップＳ１４０５）、以上の処理を終了する。
【００６７】
また、ステップＳ１４０４の後、受信処理部１０２は、同期パターン検出部１２４が入力される受信データ（ＳＧ１３０の基準信号ＳＲ）から同期パターン４０１を検出する（ステップＳ１４０６）。同期パターン４０１の検出は、上述したように、送信区間は未検出とし（ステップＳ１４０６：Ｎｏ）、受信区間に位置する同期パターン４０１について、所定サンプル数の同期パターン４０１を検出する（ステップＳ１４０６：Ｙｅｓ）。
【００６８】
この後、受信処理部１０２は、遅延時間計算部１２６により、基準信号ＳＲの遅延時間を計算する（ステップＳ１４０７）。遅延時間は、（送信サンプル数−検出サンプル数）［サンプル］により算出する。この後、受信処理部１０２は、変調遅延設定部１２７により、変調遅延設定出力を行い（ステップＳ１４０８）、以上の処理を終了する。変調遅延設定出力では、遅延時間計算部１２６で得られた遅延時間（サンプル数）を遅延量としてＳＧ１３０に出力する。
【００６９】
受信処理部１０２が出力する上記の遅延量、およびトリガの出力形式は、通信インタフェース１０３ｂ，１３２が有する任意のインタフェース（例えば、シリアル、同軸ケーブル、ＧＰＩＢ，ＬＡＮなど）を用いてＳＧ１３０に出力できる。
【００７０】
信号生成機（ＳＧ）１３０側の処理例を簡単に説明しておく。ＳＧ１３０は、変調データに同期パターン４０１を挿入したパターンファイルを設定し、基準信号ＳＲの送信待ち状態となる。その後、基地局１００の受信処理部１０２からトリガ出力（ＴＲＩＧ  ｏｕｔ）の受信タイミングで基準信号ＳＲの送信を行う。また、ＳＧ１３０は、基地局１００の受信処理部１０２から遅延量の出力があれば、サンプリングレートを基準にして出力遅延を遅延量が示すＮサンプル分だけ遅延させる設定を行う。ＳＧ１３０が出力する基準信号ＳＲは、ＲＦ（Ｒａｄｉｏ  Ｆｒｅｑｕｅｎｃｙ）信号であり、アッテネータ１３１でレベル調整されて基地局１００のアンテナ１１１（ＤＵＰ１１２）に入力される。
【００７１】
これにより、ＳＧ１３０が出力する基準信号ＳＲに遅延が生じても、基地局１００側で遅延を測定し、基地局１００からＳＧ１３０に対し、実際に生じた遅延量フィードバックすることができ、ＳＧ１３０が遅延なく基準信号ＳＲを出力できるようになる。この際、ＳＧ１３０では、遅延設定を現在のＳＧ遅延設定−遅延量（サンプルＮ）とする設定変更を行う。これにより、ＳＧ１３０から遅延なく出力される基準信号ＳＲを用いて基地局１００側では、基準信号ＳＲをＴＤＤの受信区間で劣化および欠損なく受信でき、基地局１００（ＲＲＨ）の各種の無線受信特性を正確に測定することができるようになる。無線受信特性は、例えば、エラーベクトル振幅（ＥＶＭ：Ｅｒｒｏｒ  Ｖｅｃｔｏｒ  Ｍａｇｎｉｔｕｄｅ）、雑音指数（ＮＦ：Ｎｏｉｓｅ  Ｆｉｇｕｒｅ）等であり、これら無線受信特性を正確に評価できるようになる。
【００７２】
以上説明した実施の形態によれば、ＴＤＤ方式で通信を行う基地局は、信号生成機が出力する基準信号ＳＲに含まれる同期パターンの受信タイミングを検出して受信信号のフレーム基準に対する遅延量を求め、信号生成機へ遅延量の情報を出力する。これにより、信号生成機は、遅延量に基づき基準信号ＳＲの出力タイミングを補正して出力できる。
【００７３】
基地局側での初期化や無線帯域変更のために装置構成の設定変更時、信号サンプリングレートの変更や信号生成機側での出力遅延が変動し、ＴＤＤの信号基点となるタイミングにずれが生じる。しかし、実施の形態では、基地局の装置構成変更時においても、遅延量を信号生成機に通知することで、信号生成機がタイミング調整し、ＴＤＤの送信区間と受信区間に同期した無線送信を行うことができるようになる。
【００７４】
また、信号生成機の送信フィルタ特性に応じた同期パターンを用いることで、正確な遅延量を測定し、同期できるようになる。また、複数の同期パターンを組み合わせることにより信号生成機の送信フィルタ特性に影響を受けずに遅延量を測定することができる。また、信号生成機を直接、基地局の送受信部に接続し、基準信号を直接基地局に出力する構成であるため、アンテナ特性や無線環境の影響を受けず、データ劣化せずに測定用の信号を基地局に出力できる。
【００７５】
これにより、基地局側では、基準信号を用いて基地局（ＲＲＨ）の各種無線受信特性を正確に評価できるようになる。そして、実施の形態によれば、基地局の装置構成の設定変更のたびに手動で信号生成機を操作調整する必要がなく、効率的に基地局の無線受信特性を測定および評価できるようになる。
【００７６】
なお、本実施の形態で説明した信号同期方法は、予め用意された制御プログラムを対象機器（上記基地局）等のコンピュータ（ＣＰＵ等）が実行することにより実現することができる。本制御プログラムは、磁気ディスク、光ディスク、ＵＳＢ（Ｕｎｉｖｅｒｓａｌ  Ｓｅｒｉａｌ  Ｂｕｓ）フラッシュメモリなどのコンピュータで読み取り可能な記録媒体に記録され、コンピュータによって記録媒体から読み出されることによって実行される。また、制御プログラムは、インターネット等のネットワークを介して配布してもよい。
【００７７】
上述した実施の形態に関し、さらに以下の付記を開示する。
【００７８】
（付記１）ＴＤＤ（Ｔｉｍｅ  Ｄｉｖｉｓｉｏｎ  Ｄｕｐｌｅｘ）方式で通信を行う基地局において、
基準信号に含まれる所定期間の同期パターンの受信タイミングを検出して前記基準信号のフレーム基準に対する遅延量を求め、前記遅延量に基づき、前記基準信号の送信元へ前記受信タイミングを補正する補正情報を出力する受信処理部を備えたことを特徴とする基地局。
【００７９】
（付記２）前記同期パターンは、前記ＴＤＤの受信区間で任意の値をとる複数のサンプルデータからなり、
前記受信処理部は、前記受信区間から外れた前記サンプルデータの個数に基づき、前記遅延量を求めることを特徴とする付記１に記載の基地局。
【００８０】
（付記３）前記基準信号を受信する送受信部に、前記基準信号を生成する信号生成機が直接接続され、
前記受信処理部は、
通信インタフェースを介して、前記補正情報と、前記フレーム基準のトリガを前記信号生成機に出力することを特徴とする付記１または２に記載の基地局。
【００８１】
（付記４）前記受信処理部は、
前記送受信部の出力、または前記送受信部の出力をＣＰＲＩ（Ｃｏｍｍｏｎ  Ｐｕｂｌｉｃ  Ｒａｄｉｏ  Ｉｎｔｅｒｆａｃｅ）形式に変換後の前記基準信号を選択し、前記同期パターンを検出することを特徴とする付記３に記載の基地局。
【００８２】
（付記５）前記受信処理部は、
前記補正情報として前記遅延量を出力することを特徴とする付記１〜４のいずれか一つに記載の基地局。
【００８３】
（付記６）前記受信処理部は、
前記基準信号に含まれる前記同期パターンとして、予め設定された前記サンプルデータ単位の所定の値のＩＱデータに基づき、前記基準信号の受信タイミングを検出することを特徴とする付記１〜５のいずれか一つに記載の基地局。
【００８４】
（付記７）前記受信処理部は、
前記ＩＱデータの値を前記サンプルデータ単位で変化させた複数の前記同期パターンのうちいずれかを用いて前記基準信号の受信タイミングを検出することを特徴とする付記６に記載の基地局。
【００８５】
（付記８）前記受信処理部は、
前記信号生成機に対して、複数の前記同期パターンの種別を前記通信インタフェースを介して通知することを特徴とする付記６または７に記載の基地局。
【００８６】
（付記９）前記受信処理部は、
前記受信区間内で複数の前記同期パターンを受信し、前記基準信号の受信タイミングを検出することを特徴とする付記６〜８のいずれか一つに記載の基地局。
【００８７】
（付記１０）前記受信処理部は、
前記受信区間を含むより長い期間の前記同期パターンを受信し、前記基準信号の受信タイミングを検出することを特徴とする付記６〜９のいずれか一つに記載の基地局。
【００８８】
（付記１１）ＴＤＤ（Ｔｉｍｅ  Ｄｉｖｉｓｉｏｎ  Ｄｕｐｌｅｘ）方式で通信を行う基地局と、前記基地局の特性測定用の基準信号を送信する信号生成機と、を含む信号同期システムにおいて、
前記信号生成機は、
前記所定期間の同期パターンを含む前記基準信号を前記基地局の送受信部に直接接続により出力し、
前記基地局は、
前記同期パターンの受信タイミングを検出して前記基準信号のフレーム基準に対する遅延量を求め、前記遅延量に基づき、前記信号生成機へ前記基準信号の受信タイミングを補正する補正情報を出力する受信処理部を備えたことを特徴とする信号同期システム。
【００８９】
（付記１２）前記基地局の前記受信処理部は、
通信インタフェースを介して、前記補正情報と、前記フレーム基準のトリガを前記信号生成機に出力し、
前記信号生成機は、前記補正情報と、前記フレーム基準のトリガに基づき、前記基準信号の出力タイミングを補正して出力することを特徴とする付記１１に記載の信号同期システム。
【００９０】
（付記１３）ＴＤＤ（Ｔｉｍｅ  Ｄｉｖｉｓｉｏｎ  Ｄｕｐｌｅｘ）方式で通信を行う基地局における基準信号の信号同期方法であって、
前記基準信号に含まれる所定期間の同期パターンの受信タイミングを検出し、
前記基準信号のフレーム基準に対する遅延量を求め、
前記遅延量に基づき、前記基準信号の送信元へ前記受信タイミングを補正する補正情報を出力する、
ことを特徴とする信号同期方法。
【符号の説明】
【００９１】
１００  基地局
１０１  送受信部
１０２  受信処理部
１０３，１３２  通信インタフェース
１１１  アンテナ
１１２  ＤＵＰ
１１３  サーキュレータ
１１４  無線受信機
１１５  無線送信機
１２１  ＣＰＲＩ送信部
１２２  セレクタ
１２３  同期パターン設定部
１２４  同期パターン検出部
１２５  送信サンプル数設定部
１２６  遅延時間計算部
１２７  変調遅延設定部
１２８  カウンタ部
１２９  トリガ出力部
１３０  信号生成機
１３１  アッテネータ
２０１  ＣＰＵ
２０２  メモリ
２０３  拡張メモリ
２０４  バス
２０５  無線通信部
２０６  通信インタフェース部
４００  変調データ
４０１  同期パターン
ＳＲ  基準信号
【図１】
2018129772.tif 000003
【図２】
2018129772.tif 000004
【図３】
2018129772.tif 000005
【図４】
2018129772.tif 000006
【図５】
2018129772.tif 000007
【図６】
2018129772.tif 000008
【図７】
2018129772.tif 000009
【図８】
2018129772.tif 000010
【図９】
2018129772.tif 000011
【図１０】
2018129772.tif 000012
【図１１】
2018129772.tif 000013
【図１２】
2018129772.tif 000014
【図１３】
2018129772.tif 000015
【図１４】
2018129772.tif 000016